【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
生物由来の非晶質ポリエステル樹脂、結晶性ポリエステル樹脂および着色剤を含むコアと、前記コアの上のポリマーシェルとを含み、
前記生物由来の非晶質ポリエステル樹脂は、ポリ（ビス−ロジン−ネオペンチレン−テレフタレート）、ポリ（ビス−ロジン−ネオペンチレン−イソフタレート）、コポリ−（ビス−ロジン−ネオペンチレン−テレフタレート）−コポリ−（ビス−ロジン−ネオペンチレン−スクシネート）、コポリ−（ビス−ロジン−ネオペンチレン−イソフタレート）−コポリ−（ビス−ロジン−ネオペンチレン−スクシネート）、およびこれらの混合物からなる群から選択される、トナー組成物。
【請求項２】
前記生物由来の非晶質ポリエステル樹脂が、以下の式／構造の１つによって表されるものからなる群から選択されるロジン酸のモノマーで生成される、請求項１に記載のトナー。
【化１】
2018136532.tif 000001
およびこれらの混合物
【請求項３】
前記結晶性ポリエステル樹脂がポリ（１，６−ヘキシレン−１，１２−ドデカノエート）を含む、請求項１記載のトナー。
【請求項４】
前記結晶性ポリエステル樹脂がポリ（１，９−ノニレン−スクシネート）を含む、請求項１に記載のトナー。
【請求項５】
前記生物由来の非晶質ポリエステル樹脂が、ガムロジン、トール油ロジンまたは木材ロジンの天然ロジン、不均化ロジン酸、水素化ロジン酸、デヒドロアビエチン酸ピマル酸、サンダラコピマル酸、パルストリン酸、イソピマル酸、アビエチン酸、デヒドロアビエチン酸、ネオアビエチン酸、ジヒドロピマル酸、ジヒドロアビエチン酸およびテトラヒドロアビエチン酸からなる群から選択されるロジン酸のモノマーで生成される、請求項１に記載のトナー。
【請求項６】
前記生物由来の非晶質ポリエステル樹脂が、ポリ（ビス−ロジン−ネオペンチレン−イソフタレート）、コポリ（ビス−ロジン−ネオペンチレン−テレフタレート）、コポリ（ビス−ロジン−ネオペンチレン−スクシネート）、およびこれらの混合物からなる群から選択され、前記結晶性ポリエステルが、ポリ（１，６−ヘキシレン−１，１２−ドデカノエート）、ポリ（１，９−ノニレン−スクシネート）、およびこれらの混合物からなる群から選択される、請求項１に記載のトナー。
【請求項７】
前記シェルは、ポリスチレンアクリレート、ポリスチレンメタクリレート、ポリスチレンブタジエン、ポリスチレン−２−エチルヘキシルアクリレート、ポリスチレン−２−エチルヘキシルメタクリレートおよびこれらの混合物からなる群から選択されるスチレンアクリレートを含む、請求項１に記載のトナー。
【請求項８】
前記結晶性ポリエステル樹脂は、ポリ（１，２−プロピレン−ジエチレン−テレフタレート）、ポリ（エチレン−テレフタレート）、ポリ（プロピレン−テレフタレート）、ポリ（ブチレン−テレフタレート）、ポリ（ペンチレン−テレフタレート）、ポリ（ヘキサレン−テレフタレート）、ポリ（ヘプタデン−テレフタレート）、ポリ（オクタレン−テレフタレート）、ポリ（エチレン−セバケート）、ポリ（プロピレン−セバケート）、ポリ（ブチレンセバケート）、ポリ（ノニレンセバケート）、ポリ（エチレンアジペート）、ポリ（プロピレンアジペート）、ポリ（ブチレンアジペート）、ポリ（ペンチレンアジペート）、ポリ（ヘキサレン−アジペート）、ポリ（ヘプタデンアジペート）、ポリ（オクタレンアジペート）、ポリ（エチレングルタレート）、ポリ（プロピレングルタレート）、ポリ（ブチレングルタレート）、ポリ（ペンチレン−グルタレート）、ポリ（ヘキサレン−グルタレート）、ポリ（ヘプタデン−グルタレート）、ポリ（オクタレン−グルタレート）、ポリ（エチレン−ピメレート）、ポリ（プロピレン−ピメレート）、ポリ（ブチレン−ピメレート）、ポリ（ペンチレン−ピメレート）、ポリ（ヘキサレン−ピメレート）、ポリ（ヘプタデン−ピメレート）、ポリ（１，２−プロピレンイタコネート）、ポリ（エチレン−スクシネート）、ポリ（プロピレン−スクシネート）、ポリ（ブチレン−スクシネート）、ポリ（ペンチレン−スクシネート）、ポリ（ヘキシレン−スクシネート）、ポリ（オクチレン−スクシネート）、ポリ（デシレン−デカノエート）、ポリ（エチレンデカノエート）、ポリ（エチレンドデカノエート）、ポリ（ノニレン−デカノエート）、コポリ（エチレン−フマレート）−コポリ（エチレン−セバケート）、コポリ（エチレン−フマレート）−コポリ（エチレン−デカノエート）、コポリ（エチレン−フマレート）−コポリ（エチレン−ドデカノエート）およびこれらの混合物からなる群から選択される、請求項１に記載のトナー。
【請求項９】
前記着色剤は、顔料である、請求項１に記載のトナー。
【請求項１０】
前記着色剤は、カーボンブラック、シアン、マゼンタ、イエロー、およびこれらの混合物のうちの少なくとも１つから選択される、請求項１に記載のトナー。
【請求項１１】
さらにワックスを含む、請求項１に記載のトナー。
【請求項１２】
前記ワックスは、ポリエチレン、ポリプロピレン、およびこれらの混合物からなる群から選択され、前記ワックスは、トナー固形分に対して１重量％〜１０重量％の量で存在する、請求項１１に記載のトナー。
【請求項１３】
前記生物由来の非晶質ポリエステル樹脂は、触媒の存在下で、テトラヒドロアビエチン酸と、生物由来のアルキレングリコールと、生物由来のコハク酸との反応によって得られたものである、請求項１に記載のトナー。
【請求項１４】
前記アルキレングリコールは、プロピレングリコールである、請求項１３に記載のトナー。
【請求項１５】
前記生物由来の非晶質ポリエステル樹脂は、以下の反応スキームに従って得られたものである、請求項１に記載のトナー。
【化２】
2018136532.tif 000002
（ここで、Ｒ１がロジンであり、Ｒ２がアリーレン：ＣＨ２−ＣＨ２である。）
【請求項１６】
前記結晶性ポリエステル樹脂が、ポリ（１，６−ヘキシレン−１，１２−ドデカノエート）、ポリ（１，９−ノニレン−スクシネート）、およびこれらの混合物からなる群から選択され、前記非晶質ポリエステルが、コポリ−（ビス−ロジン−ネオペンチレン−テレフタレート）−コポリ（ビス−ロジン−ネオペンチレン−スクシネート）である、請求項１に記載のトナー。
【請求項１７】
フェノールを含まない結晶性ポリエステル、ビスフェノールを含まない生物由来の非晶質ポリエステル樹脂、着色剤および任意要素のワックスの混合物を含むコアを含み、前記生物由来の非晶質ポリエステルが、ポリ（ビス−ロジン−ネオペンチレン−テレフタレート）、ポリ（ビス−ロジン−ネオペンチレン−イソフタレート）、コポリ−（ビス−ロジン−ネオペンチレン−テレフタレート）−コポリ−（ビス−ロジン−ネオペンチレン−スクシネート）、コポリ−（ビス−ロジン−ネオペンチレン−イソフタレート）−コポリ−（ビス−ロジン−ネオペンチレン−スクシネート）、およびこれらの混合物からなる群から選択される、トナー組成物。
【請求項１８】
前記結晶性ポリエステルが、ポリ（１，６−ヘキシレン−１，１２−ドデカノエート）を含み、前記生物由来の非晶質ポリエステルが、ポリ（ビス−ロジン−ネオペンチレン−テレフタレート）、ポリ（ビス−ロジン−ネオペンチレン−イソフタレート）である、請求項１７に記載のトナー。
【請求項１９】
少なくとも１種の生物由来の非晶質ポリエステル樹脂、少なくとも１種の結晶性ポリエステル、少なくとも１種のワックス、および少なくとも１種の着色剤のコアを含み、その上に前記コアを包む少なくとも１つのポリマーシェルを含み、
前記生物由来の非晶質ポリエステル樹脂は、ポリ（ビス−ロジン−ネオペンチレン−テレフタレート）、ポリ（ビス−ロジン−ネオペンチレン−イソフタレート）、コポリ−（ビス−ロジン−ネオペンチレン−テレフタレート）−コポリ−（ビス−ロジン−ネオペンチレン−スクシネート）、コポリ−（ビス−ロジン−ネオペンチレン−イソフタレート）−コポリ−（ビス−ロジン−ネオペンチレン−スクシネート）、およびこれらの混合物からなる群から選択される、トナー組成物。
【請求項２０】
前記結晶性ポリエステルが、ポリ（１，６−ヘキシレン−１，１２−ドデカノエート）、ポリ（１，９−ノニレン−スクシネート）、およびこれらの混合物からなる群から選択され、前記生物由来の非晶質ポリエステルが、ポリ（ビス−ロジン−ネオペンチレン−テレフタレート）、ポリ（ビス−ロジン−ネオペンチレン−イソフタレート）、コポリ−（ビス−ロジン−ネオペンチレン−テレフタレート）−コポリ（ビス−ロジン−ネオペンチレン−スクシネート）、コポリ−ビス−ロジン−ネオペンチレン−イソフタレート）−コポリ−（ビス−ロジン−ネオペンチレン−スクシネート）およびこれらの混合物からなる群から選択され、前記非晶質ポリエステル樹脂は、１０重量％〜６０重量％の量で存在し、前記結晶性ポリエステル樹脂は、５重量％〜１２重量％の量で存在し、前記ワックスは、４重量％〜９重量％の量で存在し、前記着色剤は、固形分の３重量％〜１０重量％の量で存在し、前記少なくとも１つのポリマーシェルは、スチレンアクリレートまたはポリスチレン−アクリレートの非晶質樹脂であり、トナーが、乳化／凝集／融着法によって調製される、請求項１９に記載のトナー組成物。